(57)【要約】【課題】  意匠性を損なうことなく枠のコーナ部における水密性を高めることができる開き戸を提供する。【解決手段】  本発明の開き扉１において、タイト材保持部１３には扉５の室内側面に当接する縦タイト材１８が取り付けてあり、下枠１９には扉５の室内側面に当接する下タイト材２３が下枠１９の長手方向に取り付けてあり、タイト材保持部１３の欠除部１４と下タイト材２３の欠除部２０とで止水ブロック９の収納空間２１としてあり、止水ブロック９は扉５の室内側面に当接するタイト部２７を有して収納空間２１に配置してあり、縦タイト材１８の下端がタイト部２７の上面に当接すると共に縦タイト材１８の室外側面１８ａがタイト部２７の室外側面２７ａと略面一であり且つ下タイト材２３の左右端２３ａがタイト材保持部１３の枠内周側面１３ｂと略同位置でタイト部２７の側面に当接して、縦タイト材１８、タイト部２７及び下タイト材２３が連続して扉５の室内側面に当接している。【選択図】      図１
2005330767.tif 000002
【特許請求の範囲】
【請求項１】
枠と、扉と、止水ブロックとを備え、左右の竪枠は扉の室内側で枠内周側に突設したタイト材保持部を竪枠の長手方向に有し、タイト材保持部には扉の室内側面に当接する縦タイト材が取り付けてあり、下枠には扉の室内側面に当接する下タイト材が下枠の長手方向に取り付けてあり、少なくとも一方の竪枠のタイト材保持部及び縦タイト材は下枠との間が欠除してあると共に下タイト材は少なくとも一方の竪枠との間を欠除してあり、タイト材保持部の欠除部と下タイト材の欠除部とで止水ブロックの収納空間としてあり、止水ブロックは扉の室内側面に当接するタイト部を有すると共に止水ブロック収納空間に配置してあり、縦タイト材の下端がタイト部の上面に当接すると共に縦タイト材の室外側面がタイト部の室外側面と略面一であり且つ下タイト材の左右端がタイト材保持部の枠内周側面と略同位置でタイト部の側面に当接して、縦タイト材、タイト部及び下タイト材が連続して扉の室内側面に当接することを特徴とする開き戸。
【発明の詳細な説明】
【技術分野】
【０００１】
本発明は、開き戸に関するものである。
【背景技術】
【０００２】
特許文献１には、竪枠の長手方向に亘ってタイト材保持部を設け、タイト材保持部に縦タイト材を取り付けると共に下枠には扉の室内側面に当接する下タイト材を設け、縦枠と下枠とのコーナ部に止水ブロックを設けて、止水ブロックのタイト部をタイト材保持部の枠内周側に設けて縦タイト材と下タイト材との間に配置することが開示されている。
【０００３】
【特許文献１】特開２００２−１４７１３７号公報
【発明の開示】
【発明が解決しようとする課題】
【０００４】
しかし、上述した特許文献１に開示の技術では、止水ブロックのタイト部は竪枠のタイト材保持部の内周側でタイト材保持部と下タイト材との間に配置しているので、タイト材保持部に取り付けてある縦タイト材と下タイト材とに連続した接続が得られ難く、十分な水密性が図れないおそれがある。
また、竪枠の長手方向に設けたタイト材保持部は下枠に当接する位置まで設けてあるので、止水ブロックのタイト部はタイト材保持部の枠内周側に設ける必要があり、止水ブロックのタイト部がタイト材保持部よりも枠内周側に大きく飛び出して、意匠性を損なうという問題がある。
そこで、本発明は、意匠性を損なうことなく枠のコーナ部における水密性を高めることができる開き戸の提供を目的とする。
【課題を解決するための手段】
【０００５】
請求項１に記載の発明は、枠と、扉と、止水ブロックとを備え、左右の竪枠は扉の室内側で枠内周側に突設したタイト材保持部を竪枠の長手方向に有し、タイト材保持部には扉の室内側面に当接する縦タイト材が取り付けてあり、下枠には扉の室内側面に当接する下タイト材が下枠の長手方向に取り付けてあり、少なくとも一方の竪枠のタイト材保持部及び縦タイト材は下枠との間が欠除してあると共に下タイト材は少なくとも一方の竪枠との間を欠除してあり、タイト材保持部の欠除部と下タイト材の欠除部とで止水ブロックの収納空間としてあり、止水ブロックは扉の室内側面に当接するタイト部を有すると共に止水ブロック収納空間に配置してあり、縦タイト材の下端がタイト部の上面に当接すると共に縦タイト材の室外側面がタイト部の室外側面と略面一であり且つ下タイト材の左右端がタイト材保持部の枠内周側面と略同位置でタイト部の側面に当接して、縦タイト材、タイト部及び下タイト材が連続して扉の室内側面に当接することを特徴とする。
【発明の効果】
【０００６】
請求項１に記載の発明では、枠のコーナ部では、止水ブロックのタイト部が縦タイト材の下端と下タイト材の竪枠側の端（左右側端）と当接して、タイト部が縦タイト材と下タイト材と連続して扉の室内側面に当接するから、縦タイト材と下タイト材とに連続した水密を図ることができる。
タイト材保持部及び縦タイト材は下枠との間に形成した欠除部と下タイト材と一方の竪枠との間に形成した欠除部とで形成する収納空間に止水ブロックを配置して、縦タイト材の下端をタイト部の上面に当接し且つ下タイト材の左右端をタイト材保持部の枠内周側面と略同位置でタイト部の側面に当接しているから、止水ブロックのタイト部がタイト材保持部よりも枠内周側に大きく飛び出さないので、意匠性を損なうことを防止できる。
【発明を実施するための最良の形態】
【０００７】
以下に、添付図面を参照して本発明の実施の形態を詳細に説明する。図１（ａ）は本実施の形態にかかる開き戸の枠のコーナ部を扉を開いて浴室側から見た斜視図であり、（ｂ）は（ａ）に示す枠のコーナ部を脱衣室側から見た分解斜視図であり、図２は止水ブロックの図であり、（ａ）は正面図、（ｂ）は右側面図、（ｃ）は左側面図、（ｄ）は上面図であり、図３は本実施の形態にかかる開き戸の縦断面図であり、図４は本実施の形態にかかる開き戸の横断面図である。
本実施の形態にかかる開き戸１は、浴室戸であり、枠３と、枠３に軸着した扉５とを備えている。左右の竪枠１１と下枠１９とで形成するコーナ部７には、それぞれ止水ブロック９が設けられている。尚、左竪枠（扉の戸先側）と下枠１９とで形成するコーナ部７と、右竪枠（扉の戸尻側）と下枠１９とで形成するコーナ部７における止水ブロック９による水密構造は略同じであるから、以下には左竪枠（戸先側）の水密構造について説明する。
竪枠１１には、タイト材保持部１３が竪枠１１の上下方向（長手方向）に長く設けてあり、タイト材保持部１３は、扉５を閉めたときにおける扉５の室内（脱衣室）側で枠３の内周側に突設している。
タイト材保持部１３には室外側にタイト材保持溝１７が形成されており、タイト材保持溝１７には扉５の室内側面に当接する縦タイト材１８が取り付けてある。タイト材保持部１３及び縦タイト材１８の下端側は下枠１９との間に欠除部１４が設けてある。
下枠１９には上方に突設した下タイト材２３が下枠１９の長手方向に取り付けてあり、下タイト材２３は扉５を閉めたときに扉５の室内側面に当接するようになっている。下タイト材２３は竪枠１１との間に欠除部２０が設けてあり、タイト材保持部１４の下端に設けた欠除部１４と下タイト材２３に設けた欠除部とで止水ブロック９の収納空間２１を形成している。下タイト材２３の左右端２３ａはタイト材保持部１３の枠内周側面１３ａと略同一位置にある。尚、本実施の形態では、下枠１９は脱衣室の床面と浴室の床面とに対して略面一に設けてあり、いわゆるバリアフリーになっている。
止水ブロック９は収納空間２１に配置してあり、タイト部２７と、取り付け部２９を備え、取付部２９はタイト材保持部１３よりも室内側の位置で竪枠１１にねじ２８で固定されている。
タイト部２７は、水密材でできており、縦タイト材１８の下端に位置しており、タイト面２７ａが縦タイト材１８のタイト面１８ａと略面一になっていると共に縦タイト材１８の下端がタイト部２７の上面に当接している。また、下タイト材２３の左右側端２３ａがタイト部２７の側面に当接している。
止水ブロック９の上部には、タイト材保持部１３の下端部１３ａに室内側から重合するタイト材保持部との重合部３０が設けられている。止水ブロック９の上部には、タイト材保持部１３の下端面が当接する部分にパッキン材３９が貼られている。
タイト部２７の室内側において止水ブロック９には下タイト材２３の左右側端部２３ａに室内側から重合する下タイト材２３との重合部３３が設けられている。下タイト材との重合部３３には下タイト材２３側にパッキン材３７が貼られている。
また、止水ブロック９には、タイト部２７の竪枠１１側で下方を室外側に向けて傾斜した傾斜面３５が設けられている。
【０００８】
次に、本実施の形態にかかる止水ブロック９の取り付け及び開き戸１の作用、効果を説明する。
止水ブロック９の取り付けは、タイト材保持部１３の下枠１９側及び下タイト材２３の竪枠１１側にそれぞれ欠除部を形成して、止水ブロック９の収納空間２１を形成し、収納空間２１に止水ブロック９を配置して、止水ブロック９の取付部２９をねじ２８で竪枠１１に固定する。本実施の形態によれば、止水ブロック９は収納空間２１に配置してねじ２８により簡単に取り付けできる。
扉５を閉めた状態では、止水ブロック９のタイト部２７が縦タイト材１８の下端と下タイト材２３の左右側端とに当接して、縦タイト材１８と下タイト材２３とに連続して扉５の室内側面に当接するから、縦タイト材１８と下タイト材２３とに連続した水密を図ることができる。
タイト材保持部１３及び縦タイト材１８と下枠１９との間の欠除部１４と、下タイト材２３と竪枠１１との間の欠除部２０とで止水ブロック９の収納空間２１を形成してあり、止水ブロック９を収納空間２１に配置すると共に、縦タイト材１８の下端をタイト部２７の上面に当接し且つ下タイト材２３の左右端２３ａをタイト材保持部１３の枠内周側面１３ａと略同位置でタイト部２７の側面に当接しているから、止水ブロック９のタイト部２７がタイト材保持部１３よりも内周側に大きく飛び出さないので、意匠性を損なうことを防止できる。
止水ブロック９には、タイト材保持部１３の下端部１３ａに重合する重合部３０と、下タイト材２３の左右側端部２３ａに重合する重合部３３を設けているので、縦タイト材１８の下端及び下タイト材２３の左右側端とを簡単に連続させることができ、しかも止水ブロック９のタイト部２７と縦タイト材１８の下端との間及びタイト部２７と下タイト材２３の左右側端との間の水密性を高めることができる。
止水ブロック９は、タイト部２７の竪枠側で下方を室外側に向けて傾斜した傾斜面３５を設けているので、止水ブロック９と竪枠１１との間に入り込んだ水を室内側に向けてスムーズに排水できる。
【０００９】
本発明は、上述した実施の形態に限らず、本発明の要旨を逸脱しない範囲で種々変形可能である。
例えば、タイト部２７は軟質樹脂材等で止水ブロック９と一体成型するものであってもよい。
開き戸１は、浴室戸に限らず、玄関戸等であってもよい。
【図面の簡単な説明】
【００１０】
【図１】（ａ）は本実施の形態にかかる開き戸のコーナ部を扉を開いて浴室側から見た斜視図であり、（ｂ）は（ａ）に示すコーナ部を脱衣室側から見た分解斜視図である。
【図２】止水ブロックの図であり、（ａ）は正面図、（ｂ）は右側面図、（ｃ）は左側面図、（ｄ）は上面図である。
【図３】本実施の形態にかかる開き戸の縦断面図である。
【図４】本実施の形態にかかる開き戸の横断面図である。
【符号の説明】
【００１１】
１      開き戸
３      枠
５      扉
９      止水ブロック
１１    竪枠
１３    タイト材保持部
１３ｂ  枠内周側面
１４    欠除部
１８    縦タイト材
１８ａ  室外側面
１９    下枠
２０    欠除部
２１    収納空間
２３    下タイト材
２３ａ  左右側端
２７    タイト部
２７ａ  室外側面
【図１】
2005330767.tif 000003
【図２】
2005330767.tif 000004
【図３】
2005330767.tif 000005
【図４】
2005330767.tif 000006
【手続補正書】
【提出日】平成16年6月2日(2004.6.2)
【手続補正１】
【補正対象書類名】明細書
【補正対象項目名】０００８
【補正方法】変更
【補正の内容】
【０００８】
次に、本実施の形態にかかる止水ブロック９の取り付け及び開き戸１の作用、効果を説明する。
止水ブロック９の取り付けは、タイト材保持部１３の下枠１９側及び下タイト材２３の竪枠１１側にそれぞれ欠除部を形成して、止水ブロック９の収納空間２１を形成し、収納空間２１に止水ブロック９を配置して、止水ブロック９の取付部２９をねじ２８で竪枠１１に固定する。本実施の形態によれば、止水ブロック９は収納空間２１に配置してねじ２８により簡単に取り付けできる。
扉５を閉めた状態では、止水ブロック９のタイト部２７が縦タイト材１８の下端と下タイト材２３の左右側端とに当接して、縦タイト材１８と下タイト材２３とに連続して扉５の室内側面に当接するから、縦タイト材１８と下タイト材２３とに連続した水密を図ることができる。
タイト材保持部１３及び縦タイト材１８と下枠１９との間の欠除部１４と、下タイト材２３と竪枠１１との間の欠除部２０とで止水ブロック９の収納空間２１を形成してあり、止水ブロック９を収納空間２１に配置すると共に、縦タイト材１８の下端をタイト部２７の上面に当接し且つ下タイト材２３の左右端２３ａをタイト材保持部１３の枠内周側面１３ａと略同位置でタイト部２７の側面に当接しているから、止水ブロック９のタイト部２７がタイト材保持部１３よりも内周側に大きく飛び出さないので、意匠性を損なうことを防止できる。
止水ブロック９には、タイト材保持部１３の下端部１３ａに重合する重合部３０と、下タイト材２３の左右側端部２３ａに重合する重合部３３を設けているので、縦タイト材１８の下端及び下タイト材２３の左右側端とを簡単に連続させることができ、しかも止水ブロック９のタイト部２７と縦タイト材１８の下端との間及びタイト部２７と下タイト材２３の左右側端との間の水密性を高めることができる。
止水ブロック９は、タイト部２７の竪枠側で下方を室外側に向けて傾斜した傾斜面３５を設けているので、止水ブロック９と竪枠１１との間に入り込んだ水を室外側に向けてスムーズに排水できる。